(57)【特許請求の範囲】
【請求項１】
複数の出力先を選択可能な画像出力装置において、
上記出力先及び本体オペレーションのいずれかを指定する出力先指定情報を含む印刷ジョブをユーザ端末から受信する印刷ジョブ受信手段と、
上記出力先にそれぞれ対応し、上記出力先指定情報に基づいて画像情報を出力する２以上の画像出力手段と、
上記出力先指定情報として本体オペレーションが指定されている場合に、上記画像情報を保留画像情報として保持する画像出力保留手段と、
上記画像出力保留手段が保持している上記保留画像情報の出力先をユーザ操作により指定する操作入力手段とを備え、
上記保留画像情報は、上記操作入力手段により出力先として指定された上記画像出力手段によって出力されることを特徴とする画像出力装置。
【請求項２】
上記画像出力手段として、
第１用紙排出トレイが出力先として指定された場合に、上記画像情報が印刷された紙媒体を第１用紙排出トレイへ排出する第１の画像出力手段と、
第２用紙排出トレイが出力先として指定された場合に、上記画像情報が印刷された紙媒体を第２用紙排出トレイへ排出する第２の画像出力手段とを備えたことを特徴とする請求項１に記載の画像出力装置。
【請求項３】
上記画像出力手段として、
用紙排出トレイが出力先として指定された場合に、上記画像情報が印刷された紙媒体を上記用紙排出トレイへ排出する印刷出力手段と、
外部装置が出力先として指定された場合に、上記画像情報を外部装置へ信号出力する信号出力手段とを備えたことを特徴とする請求項１に記載の画像出力装置。
【請求項４】
出力先指定情報として本体オペレーションが指定された上記印刷ジョブに含まれるパスワードに基づいて、上記操作入力手段から入力されたパスワードの認証を行うパスワード認証手段とを備え、
上記保留画像情報は、上記パスワード認証部における認証結果に基づいて出力されることを特徴とする請求項１に記載の画像出力装置。
【請求項５】
上記画像出力保留手段が上記保留画像情報を保持している状態において、出力先を指定した新たな印刷ジョブを受信した場合、新たな印刷ジョブによる印刷出力が、保留画像情報の出力よりも優先されることを特徴とする請求項１に記載の画像出力装置。
【発明の詳細な説明】
【技術分野】
【０００１】
本発明は、画像出力装置に係り、さらに詳しくは、ユーザ端末から印刷ジョブを受信して印刷出力を行う画像出力装置の改良に関する。
【背景技術】
【０００２】
パーソナルコンピュータなどのユーザ端末から送信される印刷ジョブを受信し、印刷用紙に対し画像情報を印刷出力する画像出力装置は、プリンタ、複合機（ＭＦＰ：Multifunction Peripheral）等として既に広く普及している。このような画像出力装置の多くは、２以上の用紙トレイを備え、サイズや向きが異なる印刷用紙をそれぞれ収納している。また、印刷ジョブには、いずれかの用紙トレイを指定するトレイ指定情報が含まれ、当該用紙トレイ内に収納された印刷用紙に対し印刷出力を行って、用紙排出トレイへ排出される。画像出力装置が２以上の用紙排出トレイを備えている場合には、印刷ジョブによって指定された用紙排出トレイへ排出される。
【０００３】
このような画像出力装置は、ＬＡＮ（Local Area Network）などのデータ通信ネットワークを介して複数のユーザ端末が接続され、複数のユーザによって共用される場合が多い。１つの画像出力装置を複数ユーザで共用するシステムでは、あるユーザが手差トレイに印刷用紙をセットした直後に、他のユーザが手差トレイを指定した印刷ジョブを送出し、意図しない印刷用紙に印刷出力が行われてしまう場合があった。
【０００４】
このため、手差トレイ内の印刷用紙を使用する印刷ジョブを受信した場合、印刷動作を休止してユーザ端末に確認画面を表示させ、ユーザ端末において確認操作が行われるのを待って印刷動作を再開させる画像出力装置が提案されている（例えば、特許文献１）。特許文献１の画像出力装置を用いれば、他人が手差トレイにセットした意図しない印刷用紙に印刷出力が行われるのを防止することができる。
【特許文献１】特開平１１−３２１０３９号公報
【発明の開示】
【発明が解決しようとする課題】
【０００５】
上述した特許文献１の画像出力装置は、手差トレイを使用する際の利便性向上を目的とするものであるが、ユーザ端末及び画像出力装置の間をユーザが行ったり来たりしなければならないという問題があった。すなわち、まずユーザ端末から印刷ジョブを送信し、画像出力装置において手差トレイの状態を確認した後に、ユーザ端末から確認操作を行う必要がある。その後、さらに印刷結果物を画像出力装置まで取りに行かなければならず、１回の印刷出力のために、ユーザ端末及び画像出力装置間を２往復しなければならないという問題があった。
【０００６】
複数のユーザによって共用される画像出力装置は、通常、ユーザ端末から離れた位置に設置されていることから、このようなユーザ端末及び画像出力装置間の往復は、作業効率を著しく低下させる結果となる。しかも、手差トレイの状態を確認してから、ユーザ端末に戻って確認操作を行うまでの間に、他人が手差トレイ内の用紙を入れ替えることも考えられる。
【０００７】
また、画像出力装置がユーザ端末から離れた位置に設置されている場合、印刷出力を指示したユーザが印刷結果物を取りに行く前に、当該印刷結果物を他人に見られたり、誤って持って行いかれてしまうことがあった。このため、秘匿性の高い画像情報を印刷出力することができないという問題があった。
【０００８】
本発明は、上記の事情に鑑みてなされたものであり、ユーザ端末から画像情報を含む印刷ジョブを送信し、画像出力装置における操作入力によって当該画像情報の出力先を指定することができる画像出力装置を提供することを目的とする。
【０００９】
また、本発明は、ユーザ端末内の画像情報を印刷ジョブとして送信し、画像出力装置における操作入力によって、当該画像情報を印刷出力した紙媒体を排出する用紙排出トレイを指定することができる画像出力装置を提供することを目的とする。
【００１０】
また、本発明は、ユーザ端末内の画像情報を印刷ジョブとして送信し、画像出力装置における操作入力によって、当該画像情報の印刷出力又は信号出力を指定することができる画像出力装置を提供することを目的とする。
【００１１】
さらに、本発明は、ユーザ端末内の秘匿性の高い画像情報であっても、安心して印刷ジョブとして画像出力装置に送信し、出力することができる画像出力装置を提供することを目的とする。
【課題を解決するための手段】
【００１２】
第１の本発明による画像出力装置は、複数の出力先を選択可能な画像出力装置において、上記出力先及び本体オペレーションのいずれかを指定する出力先指定情報を含む印刷ジョブをユーザ端末から受信する印刷ジョブ受信手段と、上記出力先にそれぞれ対応し、上記出力先指定情報に基づいて画像情報を出力する２以上の画像出力手段と、上記出力先指定情報として本体オペレーションが指定されている場合に、上記画像情報を保留画像情報として保持する画像出力保留手段と、上記画像出力保留手段が保持している上記保留画像情報の出力先をユーザ操作により指定する操作入力手段とを備え、上記保留画像情報が、上記操作入力手段により出力先として指定された上記画像出力手段によって出力されるように構成される。
【００１３】
この様な構成により、出力先指定情報として本体オペレーションを指定した印刷ジョブをユーザ端末から送信すれば、当該画像情報は、自動的に出力されることなく画像出力装置内に保留される。その後、ユーザが、画像出力装置において出力先を指定する操作入力を行えば、当該出力先へ保留中の画像情報を出力させることができる。従って、画像出力装置において、例えば、給紙トレイ、用紙排出トレイ、ストレージ装置などの状態を確認しながら出力先を指示し、画像情報の出力を開始させることができ、また、その後の出力動作も画像出力装置の近くで見届けることができるので、出力結果物を他人に見られたり、誤って持って行かれる心配がない。しかも、印刷出力などを行う場合に、ユーザ端末及び画像処理装置間を往復する回数が増えることもない。
【００１４】
第２の本発明による画像出力装置は、上記構成に加えて、上記画像出力手段として、第１用紙排出トレイが出力先として指定された場合に、上記画像情報が印刷された紙媒体を第１用紙排出トレイへ排出する第１の画像出力手段と、第２用紙排出トレイが出力先として指定された場合に、上記画像情報が印刷された紙媒体を第２用紙排出トレイへ排出する第２の画像出力手段とを備えて構成される。
【００１５】
この様な構成により、画像出力装置において用紙排出トレイを指定する操作入力を行って、当該用紙排出トレイへ印刷結果物を排出させることができる。つまり、複数の用紙排出トレイのいずれかを出力先として指定する際、これらの用紙排出トレイの状態を確認しながら指定することができ、また、印刷結果物を直ぐに取り出すことができる。従って、印刷結果物を他人に見られたり、誤って持って行かれる心配がない。
【００１６】
第３の本発明による画像出力装置は、上記構成に加えて、上記画像出力手段として、用紙排出トレイが出力先として指定された場合に、上記画像情報が印刷された紙媒体を上記用紙排出トレイへ排出する印刷出力手段と、外部装置が出力先として指定された場合に、上記画像情報を外部装置へ信号出力する信号出力手段とを備えて構成される。
【００１７】
この様な構成により、画像出力装置において用紙排出トレイ又は外部装置を指定する操作入力を行って、画像情報を印刷用紙に印刷出力させ、あるいは、外部装置へ信号出力させることができる。例えば、画像情報をストレージ装置へ信号出力させる場合であれば、画像出力装置に接続されたストレージ装置を確認しながら指定することができ、また、データ書き込み完了後すぐにストレージ装置を取り外すことができる。従って、他人のストレージ装置に誤って書き込んだり、書き込み後のストレージ装置を他人に誤って持って行かれる心配がない。
【００１８】
第４の本発明による画像出力装置は、上記構成に加えて、出力先指定情報として本体オペレーションが指定された上記印刷ジョブに含まれるパスワードに基づいて、上記操作入力手段から入力されたパスワードの認証を行うパスワード認証手段とを備え、上記保留画像情報は、上記パスワード認証部における認証結果に基づいて出力されるように構成される。
【００１９】
この様な構成により、画像出力装置においてパスワードを入力し、パスワード認証に成功しなければ、保留画像情報を印刷出力することができない。従って、保留画像情報を他人が出力するのを防止することができる。すなわち、当該画像情報が他人に見られたり、印刷結果物を他人に持って行かれる心配がなく、ユーザ端末内の秘匿性の高い画像情報であっても安心して出力することができる。
【００２０】
第５の本発明による画像出力装置は、上記構成に加えて、上記画像出力保留手段が上記保留画像情報を保持している状態において、出力先を指定した新たな印刷ジョブを受信した場合、新たな印刷ジョブによる印刷出力が、保留画像情報の出力よりも優先されるように構成される。この様な構成により、保留画像情報について出力先を指示する操作入力が行われていない場合でも、その後の印刷ジョブに基づいて印刷出力が行われ、印刷ジョブの滞留が生じるのを防止することができる。
【発明の効果】
【００２１】
本発明によれば、ユーザ端末から画像情報を含む印刷ジョブを送信し、当該画像情報を自動的に出力させるだけでなく、画像出力装置における操作入力によって当該画像情報の出力先を指定することができる画像出力装置を提供することができる。
【００２２】
また、本発明によれば、ユーザ端末内の画像情報を印刷ジョブとして送信し、画像出力装置における操作入力によって、当該画像情報を印刷出力した紙媒体を排出する用紙排出トレイを指定することができる画像出力装置を提供することができる。
【００２３】
また、本発明によれば、ユーザ端末内の画像情報を印刷ジョブとして送信し、画像出力装置における操作入力によって、当該画像情報の印刷出力又は信号出力を指定することができる画像出力装置を提供することができる。
【００２４】
さらに、本発明によれば、ユーザ端末内の秘匿性の高い画像情報であっても、安心して印刷ジョブとして画像出力装置に送信し、出力することができる画像出力装置を提供することができる。
【発明を実施するための最良の形態】
【００２５】
図１は、本発明の実施の形態１による画像出力装置１ａを含むシステムの一構成例を示したブロック図である。図中に示された画像出力装置１ａは、ファクシミリ通信機、複写機、プリンタの各機能を有する複合機であり、さらに、画像情報のストレージ装置３への書き込み、画像情報を添付した電子メールの送信、画像情報の画面表示などを行うこともできる。
【００２６】
また、この画像出力装置１ａは、ＬＡＮなどのデータ通信回線５を介して、２以上のユーザ端末４０が接続されている。ユーザ端末４０は、印刷ジョブを画像出力装置１ａへ送信することにより、当該ユーザ端末４０内の画像情報の印刷出力や信号出力を画像出力装置１ａに指示することができる。この印刷ジョブには、画像情報及び出力先指定情報が含まれている。また、秘匿性の高い画像情報を含む印刷ジョブの場合には、ユーザが指定したパスワードも含まれている。
【００２７】
出力先指定情報は、画像出力装置１ａによる画像情報の出力方法を指定する情報である。ここでは、紙媒体への印刷出力、ストレージ装置３へのデータ出力、ファクシミリ送信、電子メール送信及び画面表示の各出力方法のいずれかを指定することができる。また、画像出力装置１ａは複数の用紙排出トレイ１７１及び１７２を有しており、印刷出力の場合、出力先指定情報として、印刷結果物を排出させる用紙排出トレイを指定することができる。この様にして、印刷ジョブを受信した画像出力装置１ａは、出力先指定情報によって指定された出力方法で、画像情報の出力を自動的に開始する。
【００２８】
更に、この出力先指定情報として、上記出力先に加えて、「本体オペレーション」を指定することができる。本体オペレーションとは、出力先の指定を画像出力装置１ａにおいて行うことを意味している。つまり、出力先指定情報として本体オペレーションが指定された印刷ジョブは、ユーザ端末４０におけるジョブ生成時に出力先の指定が行われず、当該印刷ジョブを受信した画像出力装置１ａにおいて出力先が指定される。
【００２９】
上記画像出力装置１ａは、印刷ジョブ受信部１１、操作入力部１２、パスワード認証部１３、画像出力保留部１４及び５つの画像出力部１６１〜１６５によって構成される。ここでは、画像出力部として、ＦＡＸ送信部１６１、電子メール送信部１６２、印刷出力部１６３、ストレージ出力部１６４及び画面表示部１６５を有するものとする。この画像出力装置１ａは、さらに印刷結果物を排出するための第１及び第２の用紙排出トレイ１７１及び１７２と、ストレージ装置３を接続するための外部端子ＣＮを有している。
【００３０】
印刷ジョブ受信部１１は、印刷ジョブの受信処理を行っている。この印刷ジョブ受信部１１は、ユーザ端末４０から印刷ジョブを受信すると、当該印刷ジョブに含まれる出力先指定情報に基づいて動作する。すなわち、本体オペレーションが指定されていれば、画像出力保留部１４へ画像情報の保留を指示する一方、出力先が指定されていれば、当該出力先に対応する画像出力部１６１〜１６５に画像出力を指示し、印刷ジョブ内の画像情報が自動的に出力される。
【００３１】
操作入力部１２は、ユーザが操作入力を行うための手段であり、例えば、操作キーやタッチパネルが用いられる。ここでは、出力されずに保留されている画像情報がある場合に、この保留画像情報をＦＡＸ送信、電子メール送信、印刷出力、ストレージ出力、画面表示するのかをユーザが指示するために使用される。また、画像出力のためのパスワード認証が行われる場合、パスワードの入力にも使用される。
【００３２】
パスワード認証部１３は、印刷ジョブがユーザ端末４０において指定されたパスワードを含んでいる場合、このパスワードに基づいてパスワード認証を行い、認証結果を画像出力保留部１４へ出力する。つまり、印刷ジョブがパスワードを含んでいた場合、操作入力部１２からのパスワード入力を求め、入力されたパスワードの認証を行う。例えば、入力されたパスワードと、印刷ジョブ内のパスワードとを比較し、両者が一致すれば、認証成功と判断する。
【００３３】
画像出力保留部１４は、本体オペレーションを指定した印刷ジョブ内の画像情報を保留画像情報として画像記憶部１５に格納し、ユーザ操作により出力先が指定されるまで、当該画像情報の出力を一時保留する。画像記憶部１５内に画像情報が保持されている状態で、ユーザが出力先を指定する操作入力を行えば、当該画像情報が画像記憶部１５から読み出され、当該出力先に対応する画像出力部１６１〜１６５へ出力される。
【００３４】
また、画像出力保留部１４は、パスワード認証部１３の認証結果に基づいて動作する。つまり、保留画像情報が、パスワードを有する印刷ジョブに含まれていた画像情報であった場合、当該保留画像情報の出力は、パスワード認証部１３における認証に成功した場合にのみ行われる。
【００３５】
ＦＡＸ送信部１６１は、公衆電話回線ＰＮを介して、図示しないファクシミリ装置に対し、画像情報をファクシミリ送信する信号出力手段である。送信先の電話番号は、印刷ジョブの生成時又は操作入力部１２の操作時にユーザによって指定される。
【００３６】
電子メール送信部１６２は、データ通信ネットワークＤＮを介して、図示しないメール送信サーバに対し、画像情報が添付された電子メールを送信する信号出力手段である。送信先のメールアドレスは、印刷ジョブの生成時又は操作入力部１２の操作時にユーザによって指定される。
【００３７】
印刷出力部１６３は、紙媒体に印刷出力を行い、出力先として指定された用紙排出トレイ１７１又は１７２に排出する印刷出力手段である。印刷方式は特に限定されず、例えば、レーザー方式やインクジェット方式などを採用することができる。なお、用紙排出トレイは、１又は３以上であってもよい。いずれの場合でも、出力先として用紙排出トレイを指定すれば、印刷出力部１６３による印刷出力が行われ、指定された用紙排出トレイへ画像を印刷した用紙が排出される。
【００３８】
ストレージ出力部１６４は、外部端子ＣＮを介して、ストレージ装置３に対し、画像情報を出力する信号出力手段である。ここでは、外部端子ＣＮに着脱可能に接続されたストレージ装置３に対し、データ書き込みを行っている。このストレージ装置３は、データ書き込みを行うことができる可搬性の外部記憶装置であり、例えば、ＣＦ（Compact Flash）カードやＵＳＢ（Universal Serial Bus）メモリなどの不揮発性半導体記憶装置、ハードディスクなどの磁気記録装置や、ＤＶＤドライブなどの光ディスク記録装置などを用いることができる。
【００３９】
画面表示部１６５は、印刷ジョブとして受信した画像情報に基づいて、画像出力装置１ａのＬＣＤ（Liquid Crystal Display）に画像を表示する表示出力手段である。
【００４０】
ユーザ端末４０は、印刷ジョブを生成し、画像出力装置１ａへ送信するためのプリンタドライバ４１をそれぞれ備えている。プリンタドライバ４１は、画像出力装置１ａへ送信する印刷ジョブを生成するコンピュータプログラムであり、ＯＳ（Operation System）の管理下で画像出力装置１ａに固有の処理を行っている。これらのプリンタドライバ４１は、印刷ジョブ生成時に出力先及び本体オペレーションのいずれかをユーザに指定させ、この指定を出力先指定情報として含む印刷ジョブを生成する。
【００４１】
画像出力装置１ａは、本体オペレーションが指定された印刷ジョブを受信すると、画像出力を行わずに、操作入力部１２からの操作入力を待つ待機状態となる。この待機状態において、ユーザが出力先を指定する操作入力を行えば、当該出力先に対応する画像出力部１６１〜１６５によって画像出力が行われる。
【００４２】
図２は、ユーザ端末４０における画面表示の一例を示した図であり、ユーザが出力先を選択するための出力先指定画面５０が示されている。この出力先指定画面５０は、プリンタドライバ４１によって表示される印刷設定画面の一部であり、出力タブを選択することによって表示される。
【００４３】
出力先指定画面５０の左側に配置されたプレビュー表示部５１には、送信対象となる画像情報がプレビュー表示されている。また、右側には、出力先を指定するための出力先指定部５２が配置されている。ここでは、出力先指定部５２が、プルダウンメニューからなり、その選択肢として、各用紙排出トレイ１７１及び１７２、ストレージ装置３、ファクシミリ送信、電子メール送信、画像出力装置１ａにおける画面表示、並びに、本体オペレーションが設けられている。ユーザは、印刷ジョブ生成時に、これらの選択肢のいずれか１つを指定することができる。
【００４４】
図３は、出力先選択時に表示される出力詳細設定画面５３である。出力先としてストレージ装置３や電子メール送信を指定する場合、画像データのファイル名やファイル形式を指定する必要がある。このため、これらの出力先が出力先指定部５２において選択された場合には、出力詳細設定画面５３が表示され、ユーザは、ファイル名やファイル形式を指定することができる。
【００４５】
また、出力先指定部５２において本体オペレーションが選択された場合、ユーザがパスワードを指定することもできる。パスワードを指定した場合、当該パスワードを含む印刷ジョブが画像出力装置１ａへ送信され、画像処理装置１ａにおいてパスワード認証が行われる。このパスワード認証に成功しなければ、画像処理装置において出力先を指定し、画像情報を出力することができない。
【００４６】
図４のステップＳ１０１〜Ｓ１０７は、図１の画像出力装置１ａの動作の一例を示したフローチャートであり、印刷ジョブの受信時における動作が示されている。印刷ジョブ受信部１１は、ユーザ端末４０からの印刷ジョブを受信すると、当該印刷ジョブ内の出力先指定情報を参照し、画像情報を出力するのか、あるいは、出力を一時保留するのかを判断する（ステップＳ１０１）。
【００４７】
出力先を指定した印刷ジョブの場合には、ステップＳ１０７に進み、当該出力先に対応する画像出力が直ちに開始される。すなわち、用紙排出トレイ１７１、１７２が指定されていれば、印刷出力部１６３によって印刷用紙への印刷出力が行われ、指定された用紙排出トレイ１７１、１７２へ印刷結果物が排出される。出力先としてファクシミリ送信が指定されていれば、ＦＡＸ送信部１６１によって、印刷ジョブで指定された電話番号宛のファクシミリ送信が行われる。出力先として電子メール送信が指定されていれば、電子メール送信部１６２によって、印刷ジョブで指定された電子メールアドレスへ画像情報を添付した電子メールが送信される。出力先としてストレージ装置３が指定されていれば、ストレージ出力部１６４によって、外部端子ＣＮに接続されたストレージ装置３へ画像情報の書き込みが行われる。出力先として画面表示が指定されていれば、画面表示部１６５によって、画像出力装置１ａのＬＣＤに画像が表示される。
【００４８】
一方、出力先指定情報として本体オペレーションが指定された印刷ジョブの場合には、当該印刷ジョブ内の画像情報が、保留画像情報として画像記憶部１５に格納される（ステップＳ１０２）。この保留画像情報は、ユーザによるパスワードや出力先の操作入力を待って出力される情報である。
【００４９】
印刷ジョブがシークレット出力のためのジョブであれば、当該印刷ジョブには、本体オペレーションが指定された出力先指定情報とともに、パスワード情報が含まれている。受信した印刷ジョブが、パスワードを含んでいる場合、ユーザが操作入力部１２から入力したパスワードについて、パスワード認証部１３が認証を行う（ステップＳ１０３〜Ｓ１０５）。
【００５０】
上記パスワード認証に成功した場合、又は、本体オペレーションが指定されているがパスワードは含まれていない印刷ジョブであった場合には、出力先が入力されるのを待つ（ステップＳ１０６）。ユーザが操作入力部１２から出力先を指定すれば、当該出力先に対応する画像出力部１６１〜１６５によって、画像情報の出力が行われる（ステップＳ１０７）。
【００５１】
なお、図４に示したフローチャートは、受信した各印刷ジョブごとに実行される動作であり、操作入力部１２から出力先を指定する操作入力が行われるまでは、出力先を指定した印刷ジョブが、本体オペレーションを指定した印刷ジョブよりも優先的に処理される。すなわち、出力先が指定されていない保留中の画像情報よりも、出力先を指定した印刷ジョブの方が先に出力される。従って、保留画像情報の出力先を指示する操作入力が直ちに行われない場合でも、出力先を指定した印刷ジョブの滞留は生じない。
【００５２】
本実施の形態によれば、出力先指定情報として本体オペレーションを指定した印刷ジョブをユーザ端末４０から受信すれば、当該印刷ジョブ内の画像情報は自動的に出力されることなく、保留画像情報として画像出力装置１ａ内に保持される。ユーザが、画像出力装置において出力先を指定する操作入力を行えば、当該出力先へ保留中の画像情報を出力させることができる。従って、画像出力装置において、給紙トレイ、用紙排出トレイ、ストレージ装置などの状態を確認しながら出力先を指示し、画像情報の出力を開始させることができ、また、その後の出力動作も画像出力装置の近くで見届けることができる。
【００５３】
このような画像出力装置１ａを用いれば、給紙トレイ内の意図しない印刷用紙に対して印刷出力したり、外部端子ＣＮに接続されていた意図しないストレージ装置に対し、データ書き込みを行ってしまうというミスを防止することができる。また、印刷結果物を他人に見られる心配がなく、印刷結果物やストレージ装置を他人に誤って持って行かれる心配がない。しかも、ユーザ端末及び画像処理装置間を往復する回数が増えることもない。
【００５４】
さらに、印刷ジョブが、パスワードを含むシークレット出力用のジョブであれば、画像出力装置１ａにおいて正しいパスワードを入力し、パスワード認証に成功しなければ、保留画像情報を印刷出力することができない。従って、保留画像情報を他人が出力するのを完全に防止することができる。つまり、当該画像情報が他人に見られたり、印刷結果物を他人に持って行かれる心配がなく、ユーザ端末内の秘匿性の高い画像情報であっても安心して出力することができる。
【図面の簡単な説明】
【００５５】
【図１】本発明の実施の形態１による画像出力装置１ａを含むシステムの一構成例を示したブロック図である。
【図２】ユーザ端末４０における画面表示の一例を示した図であり、ユーザが出力先を選択するための出力先指定画面５０が示されている。
【図３】出力先選択時に表示される出力詳細設定画面５３である。
【図４】図１の画像出力装置１ａの動作の一例を示したフローチャートであり、印刷ジョブの受信時における動作が示されている。
【符号の説明】
【００５６】
１６１〜１６５  画像出力部
１ａ  画像出力装置
３  ストレージ装置
５  データ通信回線
１１  印刷ジョブ受信部
１２  操作入力部
１３  パスワード認証部
１４  画像出力保留部
１５  画像記憶部
４０  ユーザ端末
４１  プリンタドライバ
５０  出力先指定画面
５１  プレビュー表示部
５２  出力先指定部
５３  出力詳細設定画面
１６１  ＦＡＸ送信部
１６２  電子メール送信部
１６３  印刷出力部
１６４  ストレージ出力部
１６５  画面表示部
１７１，１７２  用紙排出トレイ
１７１  用紙排出トレイ
ＣＮ  外部端子
ＤＮ  データ通信ネットワーク
ＰＮ  公衆電話回線
【図１】
0004725572.tif 000002
【図２】
0004725572.tif 000003
【図３】
0004725572.tif 000004
【図４】
0004725572.tif 000005